(57)【要約】【課題】本発明は、タグ番号の命名規則を記憶していない監視制御システムにおいて、目的とするタグ番号や、文字列の検索・選択を容易にした、タグ番号の検索・パターン分類ツールを提供することを目的とする。【解決手段】タグ番号の検索・パターン分類ツールは、タグ番号検索処理部１１ａと、前記タグ番号の文字列のパターンを分類するフィルタ文字列パターン分類処理部１１ｂ１とを備える演算処理装置１１と、複数のタグ番号の情報を記憶するタグ番号情報テーブル１２ｂと、複数のタグ番号の文字列の特徴を分類するためのフィルタ文字列パターンを記憶したフィルタ文字列パターンテーブル１２ａとを記憶する記憶装置１２と、タグ番号の検索・パターン分類を処理するための検索・分類画面を表示させる表示部１４と該処理を実行させるためのデータを入力する入力部１５とを備える。【選択図】図１
2009199342.tif 000002
【特許請求の範囲】
【請求項１】
複数のタグ番号から特定のタグ番号の詳細情報を検索、または、複数のタグ番号の文字列の特徴を分類するタグ番号の検索・パターン分類ツールであって、タグ番号の検索・パターン分類ツールは、前記タグ番号を選択するフィルタ文字列パターンを設定して、複数の前記タグ番号から前記フィルタ文字列に一致するタグ番号の詳細情報を検索するタグ番号検索処理部と、前記タグ番号の文字列のパターンを分類するフィルタ文字列パターン分類処理部とを備える演算処理装置と、
複数の前記タグ番号の情報を記憶するタグ番号情報テーブルと複数の前記タグ番号の夫々を任意の文字列で切り出し、複数の前記タグ番号の文字列の特徴を分類するための前記フィルタ文字列パターンを記憶するフィルタ文字列パターンテーブルとを備える記憶装置と、
前記演算処理装置が前記タグ番号の検索・パターン分類を処理するための検索・分類画面を表示させる表示部と該処理を実行させるためのデータを入力する入力部とを備え、
前記文字列パターン分類処理部は、前記タグ番号情報テーブルから複数の前記タグ番号を抽出し、夫々の前記タグ番号の文字列を任意の文字列パターン（フィルタ文字列パターン）で切り出し、該切り出された前記フィルタ文字列パターン毎の発生頻度を全ての前記タグ番号について計数し、
同じ前記フィルタ文字列パターンを包含し、前記フィルタ文字列パターン毎の計数値が同じものについては、前記フィルタ文字列数の多い方のフィルタ文字列パターンに集約し、
集約された前記フィルタ文字列パターンを前記フィルタ文字列パターンテーブルに記憶すると共に、前記表示部に表示させるようにしたことを特徴とするタグ番号の検索・パターン分類ツール。
【請求項２】
前記フィルタ文字列パターンは、最小２文字から（最大文字列数−１）文字の範囲で設定することを特徴とする請求項１に記載のタグ番号の検索・パターン分類ツール。
【請求項３】
前記フィルタ文字列は、最小２文字＋万能文字から（最大文字列数−１＋万能文字の範囲で設定することを特徴とする請求項１に記載のタグ番号の検索・パターン分類ツール。
【請求項４】
さらに、タグ番号を受信するための通信インタフェースを備えた請求項１に記載のタグ番号の検索・パターン分類ツール。
【請求項５】
複数のタグ番号の文字列の特徴を分類するタグ番号のパターン分類方法であって、
タグ番号の検索・パターン分類ツールは、前記タグ番号を選択するフィルタ文字列パターンを設定して、複数の前記タグ番号から前記フィルタ文字列に一致するタグ番号の詳細情報を検索するタグ番号検索処理部と、前記タグ番号の文字列のパターンを分類するフィルタ文字列パターン分類処理部とを備える演算処理装置と、
複数の前記タグ番号の情報を記憶するタグ番号情報テーブルと、複数の前記タグ番号の夫々を任意の文字列で切り出し、複数の前記タグ番号の文字列の特徴を分類するための前記フィルタ文字列パターンを記憶したフィルタ文字列パターンテーブルとを備える記憶装置と、
前記演算処理装置が前記タグ番号の検索・パターン分類を処理するための検索・分類画面を表示させる表示部と該処理を実行させるためのデータを入力する入力部とを備え、
前記タグ番号情報テーブルから複数の前記タグ番号を抽出し、夫々の前記タグ番号の文字列を任意の文字列パターン（フィルタ文字列パターン）で切り出す、文字列パターン切り出しステップと、
該切り出された前記フィルタ文字列パターン毎の発生頻度を全ての前記タグ番号について計数する計数ステップと、
同じ前記フィルタ文字列パターンを包含し、前記フィルタ文字列パターン毎の計数値が同じものについては、前記フィルタ文字列パターンの多い方に集約する集約ステップと
をから成ることを特徴とするタグ番号のパターン分類方法。
【発明の詳細な説明】
【技術分野】
【０００１】
本発明は、プラントなどを監視制御する監視制御装置等において、監視対象を検索・表示させるためのタグ番号のパターン分類ツールに関する。
【背景技術】
【０００２】
従来、プラント設備の監視制御装置では、アナログデータや接点データをタグという概念で管理し、各タグにはユニークなタグ番号が付けられている。このタグ番号は、通常アスキー文字列（８文字程度）にされる場合が多い。
【０００３】
監視制御装置の利用者は、このタグ番号を指定することにより、必要なデータをＣＲＴ画面等に表示させて監視制御を行っている。
【０００４】
従来の監視制御装置において、このタグ番号と監視制御装置内の実データを対応付ける場合、タグ番号のテーブルを先頭から比較検索する方法や、タグ番号のテーブルを２分岐法で比較検索する方法を採用していた。
【０００５】
しかしながら、これらの検索方法では、非常に多くのデータを検索しなければならないため、ＣＰＵの負荷が大きくなったり、目的とするタグの検索に時間を要す問題があったりしたため、文字列のタグ番号を数値のタグコードに変換し、このタグコードをタグコード管理テーブルのレコード位置としてタグデータを管理するようにして、目的のタグが高速で検索を可能とするものがある（例えば、特許文献1参照。）。
【０００６】
このタグ番号は、システムの構成の規模によるが、通常数千点以上の非常に多くのタグ番号が必要となるため、タグ番号の文字列は予め命名規則を定め、プラントの監視・制御ポイントを検索する。
【０００７】
例えば、命名規則の例としては以下のような方法もある。
【０００８】
タグ番号：ＳＮＸＸＸＡ  とすると、
Ｓ  ：監視対象の制御量の種類（Ｆ：流量、Ｌ：レベル、Ｔ：温度、Ｐ：圧力、
ＤＰ：差圧 等）
Ｎ  ：設備の種類（１〜９）
ＸＸＸ：  設備Ｎのシリアル番号（００１〜９９９）
Ａ  ：設備Ｎの補助番号（同一補機が複数台ある場合、Ａ，Ｂ、・・・）
の様に定める。
【０００９】
更に、このように命名されたタグ番号は、設備の種類などでグルーピングされ、監視制御する表示画面上に一括してグループ表示し監視制御を行う場合も有る。
【特許文献１】特許第３３４１５１３号公報(第１頁、図１)
【発明の開示】
【発明が解決しようとする課題】
【００１０】
監視制御システムには、通常、少なくとも、数千点以上のタグ番号が存在する。そして、一旦タグ番号を命名した後にグルーピングするような場合、プラントフローなどを見ながらグルーピングされた対象を選択したり、数千点のタグ番号の中から目的のタグ番号１つを選択したりする場合がある。
【００１１】
このタグ番号のグルーピングをおこなう場合、システム構築時の命名規則に基づき、対象となるタグ番号に共通な特定の文字列を指定して選択する方法がある。
【００１２】
しかしながら、監視制御システムは、長年月の間に保守や改造を繰り返すため、この命名規則が長年月経過すると忘れ去られ、監視制御システムのオペレータは、目的のタグ番号の文字列をどのように入力して良いかが分からなくなってしまう問題がある。
【００１３】
通常、この問題は、記憶容量を増やすことが容易な最近の監視制御装置においては、この命名規則を記憶しておくことで解決されるが、タグ番号の採用を開始した当初の監視制御装置においては、命名規則についての情報を記憶しておらず、この命名規則はドキュメントを介してオペレータに継承されていた。
【００１４】
即ち、タグ番号の命名規則を記憶していない監視制御システムの場合、目的とするタグ番号やその文字列を失念すると、数千点のタグ番号の中からシステム構築時のタグ番号命名のドキュメントを査読して検索することが必要になり、検索に時間を要していた。
【００１５】
本発明は、上記問題を解決するための成されたもので、タグ番号の命名規則を記憶していない監視制御システムにおいて、複数のタグ番号の文字列パターンの特徴を分類して表示させ、目的とするタグ番号の検索を容易に推考できるようにした、タグ番号の検索・パターン分類ツール、及びタグ番号のパターン分類方法を提供することを目的とする。
【課題を解決するための手段】
【００１６】
上記目的を達成するために、本発明のタグ番号の検索・パターン分類ツールは、複数のタグ番号から特定のタグ番号の詳細情報を検索、または、複数のタグ番号の文字列の特徴を分類するタグ番号の検索・パターン分類ツールであって、タグ番号の検索・パターン分類ツールは、前記タグ番号を選択するフィルタ文字列パターンを設定して、複数の前記タグ番号から前記フィルタ文字列に一致するタグ番号の詳細情報を検索するタグ番号検索処理部と、前記タグ番号の文字列のパターンを分類するフィルタ文字列パターン分類処理部とを備える演算処理装置と、複数の前記タグ番号の情報を記憶するタグ番号情報テーブルと複数の前記タグ番号の夫々を任意の文字列で切り出し、複数の前記タグ番号の文字列の特徴を分類するための前記フィルタ文字列パターンを記憶するフィルタ文字列パターンテーブルとを備える記憶装置と、前記演算処理装置が前記タグ番号の検索・パターン分類を処理するための検索・分類画面を表示させる表示部と該処理を実行させるためのデータを入力する入力部とを備え、前記文字列パターン分類処理部は、前記タグ番号情報テーブルから複数の前記タグ番号を抽出し、夫々の前記タグ番号の文字列を任意の文字列パターン（フィルタ文字列パターン）で切り出し、該切り出された前記フィルタ文字列パターン毎の発生頻度を全ての前記タグ番号について計数し、同じ前記フィルタ文字列パターンを包含し、前記フィルタ文字列パターン毎の計数値が同じものについては、前記フィルタ文字列数の多い方のフィルタ文字列パターンに集約し、集約された前記フィルタ文字列パターンを前記フィルタ文字列パターンテーブルに記憶すると共に、前記表示部に表示させるようにしたことを特徴とする。
【００１７】
上記目的を達成するために、本発明のタグ番号のパターン分類方法は、複数のタグ番号の文字列の特徴を分類するタグ番号のパターン分類方法であって、タグ番号の検索・パターン分類ツールは、前記タグ番号を選択するフィルタ文字列パターンを設定して、複数の前記タグ番号から前記フィルタ文字列に一致するタグ番号の詳細情報を検索するタグ番号検索処理部と、前記タグ番号の文字列のパターンを分類するフィルタ文字列パターン分類処理部とを備える演算処理装置と、複数の前記タグ番号の情報を記憶するタグ番号情報テーブルと、複数の前記タグ番号の夫々を任意の文字列で切り出し、複数の前記タグ番号の文字列の特徴を分類するための前記フィルタ文字列パターンを記憶したフィルタ文字列パターンテーブルとを備える記憶装置と、前記演算処理装置が前記タグ番号の検索・パターン分類を処理するための検索・分類画面を表示させる表示部と該処理を実行させるためのデータを入力する入力部とを備え、前記タグ番号情報テーブルから複数の前記タグ番号を抽出し、夫々の前記タグ番号の文字列を任意の文字列パターン（フィルタ文字列パターン）で切り出す、文字列パターン切り出しステップと、該切り出された前記フィルタ文字列パターン毎の発生頻度を全ての前記タグ番号について計数する計数ステップと、同じ前記フィルタ文字列パターンを包含し、前記フィルタ文字列パターン毎の計数値が同じものについては、前記フィルタ文字列パターンの多い方に集約する集約ステップとをから成ることを特徴とする。
【発明の効果】
【００１８】
本発明によれば、タグ番号の命名規則を記憶していない監視制御システムにおいて、複数のタグ番号の文字列パターンの特徴を分類して表示させ、目的とするタグ番号の検索を容易に推考できるようにした、タグ番号の検索・パターン分類ツール、及びタグ番号のパターン分類方法を提供することができる。
【発明を実施するための最良の形態】
【００１９】
以下、図面を参照して、本発明の実施例を図１乃至図９を参照して説明する。図１は、本発明のタグ番号の検索・パターン分類ツールの構成図で、図２は、このタグ番号の検索・パターン分類ツールを用いた監視制御システムの構成図である。
【００２０】
図２において、タグ番号の検索・パターン分類ツールを用いた監視制御システムは、タグ番号の検索・パターン分類ツール１と、プラント機器４を監視制御する複数の監視制御装置２と、複数の監視制御装置２とタグ番号の検索・パターン分類ツール１とを接続するネットワーク３とから成る。
【００２１】
そして、タグ番号の検索・パターン分類ツール１は、監視制御装置１に記憶されるタグ番号を、ネットワーク３を介して受信し、監視制御装置２の監視制御ポイントに対応するタグ番号を選択指定して監視する。
【００２２】
次に、タグ番号の検索・パターン分類ツール１の構成は、図１に示すように、タグ番号の検索・パターン分類するための各種の演算を実行する演算処理装置１１と、タグ番号の検索・パターン分類するためのプログラム及びデータを記憶する記憶装置１２と、タグ番号の検索・パターン分類するための検索・分類画面を表示する表示部１４と、検索や分類のための予め定められたパラメータを入力するキーボード等から成る入力部１５と、演算処理装置１１と記憶装置１２とを接続するバス１３と、バス１３とネットワーク３との間に設けられ、監視制御装置２との通信行う通信インタフェース１６とから成る。
【００２３】
即ち、このようなタグ番号の検索・パターン分類ツール１の構成は、ネットワークとの通信機能を備えるパソコンで実現することが可能である。
【００２４】
次に、各部の詳細について説明する。演算処理装置１１は、タグ番号の文字列パターンを分類する文字列パターン分類処理部１１ａと、タグ番号を検索するタグ番号検索処理部１１ｂと、演算処理装置１１の全体を制御する演算処理部１１ｃとを備える。
【００２５】
また、記憶装置１２は、監視制御装置２に記憶する複数のタグ番号の情報を受信して、記憶するタグ番号情報テーブル１２ａと、このタグ番号情報テーブルから受信した複数のタグ番号の夫々を任意の文字列で切り出して、タグ番号の文字列の特徴をフィルタ文字列パターンとして記憶したフィルタ文字列パターンテーブル１２ｂとを備える。
【００２６】
次に、図３を参照して、表示部１４に表示するタグ番号の検索・パターン分類のための表示画面の例について説明する。この画面は、フィルタ文字列パターンの表示欄１４ａ、タグ番号リストの表示欄１４ｂ、タグ番号の詳細情報の表示欄１４ｃから成る。
【００２７】
そして、通常、タグ番号リストの表示欄１４ｂには、監視制御システムに存在するタグ番号がスクロール可能に表示され、フィルタ文字列パターンの表示欄１４ａに示した、タグ番号を２文字以上の文字列で切り出したフィルタ文字列パターンに基づいて、このフィルタ文字列パターンに対応するタグ番号が、タグ番号リストの表示欄１４ｂに選択表示される。
【００２８】
さらに、タグ番号リストの表示欄１４ｂに表示されたタグ番号から１つを選択し、このタグ番号の表示エリアをクリックすると、タグ番号の詳細情報の表示欄１４ｃには、選択したタグ番号の詳細情報が表示される。
【００２９】
例えば、「Ａ１＊」とフィルタ文字列を入力すると、タグ番号リストとして、文字列がＡ１で始まるタグ番号の一覧が表示され、タグ番号リストに表示されたものからその1つを選択すると、タグ番号の詳細情報の表示欄１４ｃに選択したタグ番号の詳細情報が表示される。
【００３０】
ここで、「＊」は、この監視制御システムで使用されているタグ番号について、いずれの文字であっても良い文字（ここでは、万能文字と言う）を意味し、この検索処理は、夫々のタグ番号文字列をこの「Ａ１＊」のフィルタ文字列パターンでスキャンして、一致するものを検索・抽出し表示するマッチドフィルタ処理に相当する。
【００３１】
次に、このように構成されたタグ番号の検索・パターン分類ツールの動作について図４及び図５を参照して説明する。先ず、図４を参照して、従来のタグ番号検索処理動作の例について説明する。
【００３２】
監視制御装置２から送信されたタグ番号は記憶装置１のタグ番号情報テーブル１２ｂに記憶される。図４（ａ）に示すように、タグ番号は、辞書順に並べられたりして記憶される。
【００３３】
即ち、従来の監視制御システムでは、タグ番号は、監視制装置の監視画面を表示させるための情報として測定対象識別コード（Ｄ２、アナログ信号、ディジタル信号 などの測定データ）、そのタグ番号がコントローラを識別するためのコントローラ番号（Ｄ３）、また、コントローラ内の何処にあるかを示す、コントローラ内識別子（Ｄ４）などの登録情報とは対応付けして使用されていたが、タグ番号（Ｄ１）の命名と対応付けして記憶されていなかった。
【００３４】
このようなタグ番号情報テーブル１２ｂを使用して、タグ番号検索処理部１１ｂが処理を開始する。先ず、図示しない表示部１４に表示されるメニュー画面から図３に示す、タグ番号検索・分類画面を選択する（ｓ１）。
【００３５】
そして、フィルタ文字列の表示欄１４ａ、タグ番号のリストラン１４ｂ、タグ番号詳細情報の表示欄１４ｃを順次描画する（ｓ２〜ｓ４）。
【００３６】
尚、この処理は、メニュー画面からｓ１〜ｓ４を一括して選択表示させるようにしても良い。
【００３７】
次に、フィルタ文字列をパターン設定（ｓ５）し、設定されたフィルタ文字列一致するタグ番号のリストを一括抽出する（ｓ６）。そして、抽出されたタグ番号リストからさらにその詳細を表示させたいタグ番号を選択し、そのタグ番号の詳細情報を表示させる（ｓ７）。
【００３８】
次に、フィルタ文字列パターンの設定を容易に推考するための支援手段として、複数のタグ番号の文字列のパターン分類する文字列パターン分類処理部１１ａの処理動作について図５〜図９を参照して説明する。
【００３９】
図６は、ある監視制御装置２から送信された複数のタグ番号の例を示す。これらのタグ番号のグループは、総数１２個で、Ｆ１００１〜Ｌ３００２のように、夫々５桁の文字列で示されているとする。
【００４０】
ここで、タグ番号としての文字列としては、ＩＳＯ／ＩＥＣ１０６４６で標準化された文字コード体系（Ｕｎｉｃｏｄｅ）、ＡＮＳＩが定めた情報交換用の文字コード体系（ＡＳＣＩＩ）」等、コンピュータ上で認識可能な文字を使用した、文字列であれば良く、文字列数には制限が無いが実用的には８文字列から１６文字列が使用される。
【００４１】
このようなタグ番号のグループは、予め監視制御装置２からこのタグ番号の検索・パターン分類ツールに転送され、表示部１４に表示される。
【００４２】
次に、転送された複数のタグ番号の文字列パターン分類処理部１１ａでは、図５に示し処理フローで処理される。先ず、フィルタ文字列パターンの切り出し処理を行う。この処理は、タグ番号を分類するための文字列（ここではフィルタ文字列パターンと称す）を設定し、夫々のタグ番号の文字列に対して設定したフィルタ文字列パターンに一致する文字列とその出現回数を全てのタグ番号について計数する。
【００４３】
この処理は、タグ番号の文字列からその文字列の特徴を抽出するパターンマッチング処理に相当するもので、フィルタ文字列パターンはマッチドフィルタの一種である。
【００４４】
このフィルタ文字列パターンの切り出し処理において、フィルタ文字列パターンの初期値は、抽出した最初のタグ番号の文字列に対し、（２＋＊）文字の文字数で設定する。初期値以降は、自動的に順次文字数を増やして、最終値は、（最大文字列数―１＋＊）文字数の範囲に設定される。
【００４５】
そして、この設定した夫々のフィルタ文字列パターンをそれ抽出した全てのタグ番号についてスキャンして、フィルタ文字列パターン毎の一致回数を、全てのタグ番号について計数する。
【００４６】
同様に、残りのタグ番号についてもフィルタ文字列パターンを設定し、全てのタグ番号についてスキャンして、フィルタ文字列パターン毎の一致回数を、全てのタグ番号について計数する（ｓ１１）。
【００４７】
そして、このようにして全てのタグ番号について切り出した夫々のフィルタ文字列パターンについて一致した回数を、全てのタグ番号について集計するフィルタ文字列パターンの集計処理を行う（ｓ１２）。
【００４８】
次に、この集計されたフィルタ文字列パターンに対して、一致した出現回数が同じ計数値の場合には、同じフィルタ文字列パターンを包含し、フィルタ文字列パターンの文字列数の多い方に集約するとともに、対象としたタグ番号の総文字個数に対し、所定の比率以上の出現回数のフィルタ文字列パターンのデータを除外して集約するフィルタ文字列パターンの集約処理を行う（ｓ１３）。
【００４９】
次に、図７乃至図９を参照して、このフィルタ文字列パターン分類処理の動作について、図６に示すタグ番号を対象として場合を例にして、具体的な処理動作を説明する。
【００５０】
図７乃至図９は、設定したフィルタ文字列パターンとその一致した出現回数テーブルとして示したもので、図７は、フィルタ文字列パターンの切り出し処理結果を示す。
【００５１】
例えば、タグ番号「Ｆ１００１」については、図７（ａ）に示すように、フィルタ文字列パターンは、「Ｆ１＊」、「＊１０＊」、「＊００＊」、「＊０１」、「Ｆ１０＊」、「＊１００＊」、「＊００１」の７種類設定し、夫々の一致出現回数は「２」、「４」、「１２」、「６」、「２」、「４」、「６」のように計数される。
【００５２】
以下、同様に図７（ｂ）〜図７（ｌ）に示すように、夫々のタグ番号について、フィルタ文字列パターンを設定して、一致する出現回数が計数される。
【００５３】
次に、図７のフィルタ文字列パターンの切り出し処理で求めたデータに対して、全タグ番号に対するフィルタ文字列パターン毎の一致する出現回数の集計を行なう。その結果を図８に示す。
【００５４】
次に、集計した図８のデータに対し、出現回数の同じフィルタ文字列パターンに対し、同じフィルタ文字列パターンを備える場合には、文字列数の多い方に集約する。
【００５５】
例えば、「Ｆ１＊」と「Ｆ１０＊」の場合、「Ｆ１０＊」は「Ｆ１＊」のパターンを包含しているので、同じ出現回数であるが、文字列数が多い「Ｆ１０＊」に集約する。以下同様にして、集約した結果を図９に示す。
【００５６】
また、出現回数が１４４と多い「＊００＊」は、全タグ番号の総文字個数（５×１２＝６０個）に対して、出現回数多いので除外する。即ち、５桁のタグ番号１２個に対して考えられる文字列パターンの総数以上のフィルタ文字列パターンは、特徴が無いパターンと見なして除外する。
【００５７】
即ち、このフィルタリング処理は、図６の文字列を１枚の画像と見なし、夫々のタグ番号のフィルタ文字列パターンでこの画像をスキャンして、一致する数を求めることと等価である。
【００５８】
また、ここで示したタグ番号の場合には、「Ｆ１＊」と「Ｆ１」は同じ計数値となるが、万能文字「＊」を使用することで、先頭からの文字列、途中に入っている文字列の違いを検出できる。
【００５９】
即ち、ＦＩ＊と指定した場合はタグ文字列の先頭にＦＩがあることを示し、＊ＦＩ＊と指定した場合はタグ文字列の途中にＦＩ文字列があることを示し、＊ＦＩと指定した場合はタグ文字列の最後にＦＩがあることを示すので、文字列の並び位置の相違を識別した特長抽出が可能となる効果がある。
【００６０】
そして、図９のように分類されたタグ番号のフィルタ文字列パターンの特徴から、タグ番号の意味を推考して、判明したタグ番号に対し、そのタグ番号の詳細情報として図４（ａ）に示した、フィルタ文字列パターンテーブルの空欄を生めて、タグ番号情報の記憶機能を備えていない監視制御装置のタグ番号の検索が容易に行えるようにしておく。
【００６１】
即ち、大量のタグ番号に対してフィルタ文字列パターンを使用して分類し、これを登録情報として対応付けして記憶させておくことで、命名が不明な多数のタグ番号の意味づけを支援するリバースエンジニアリングツールとして活用することができる。
【００６２】
この空欄には、求めたフィルタ文字列パターンから、通常、測定対象識別コード、機器識別コード、及び機器分類コードなどが記述憶される。
【００６３】
したがって、本実施例に拠れば、タグ番号の命名規則を記憶していない監視制御システムにおいて、複数のタグ番号の文字列パターンの特徴を分類して表示させ、目的とするタグ番号の検索を容易に推考できるようにしたので、命名したドキュメントを探す手間が省けるだけでなく、膨大なタグ番号から特徴ある文字列を分類することで、その命名規則を容易に推考する個余が可能となる。
【００６４】
本発明は、上述した実施例に何ら限定されるものではなく、コンピュータが読み取り可能な文字列からなるタグ番号を備えたもの装置に適用が可能で、また、フィルタ文字列パターンとタグ番号に対するスキャン方法は、本発明の主旨を逸脱しない範囲で適宜変形して実施することが可能である。
【図面の簡単な説明】
【００６５】
【図１】本発明のタグ番号検索・分類ツールの構成図。
【図２】本発明の監視制御システムの構成図。
【図３】本発明のタグ番号検索・分類の表示画面。
【図４】本発明のタグ番号の検索処理フロー図。
【図５】本発明のタグ番号の文字列分類パターン処理フロー図。
【図６】タグ番号の例。
【図７】タグ番号の文字列パターンの検出の例。
【図８】タグ番号の文字列パターン毎の出現回数。
【図９】タグ番号の文字列パターンの分類の例。
【符号の説明】
【００６６】
１  タグ番号検索・パターン分類ツール
２  監視制御装置
３  ネットワーク
４  プラント機器
１１  演算装置
１１ａ  文字列パターン分類処理部
１１ｂ  タグ番号検索処理部
１１ｃ  演算処理部
１２  記憶装置
１２ａ  フィルタ文字列パターンテーブル
１２ｂ  タグ番号情報テーブル
１３  バス
１４  表示部
１５  入力部
１６  通信インタフェース
【図１】
2009199342.tif 000003
【図２】
2009199342.tif 000004
【図３】
2009199342.tif 000005
【図４】
2009199342.tif 000006
【図５】
2009199342.tif 000007
【図６】
2009199342.tif 000008
【図７】
2009199342.tif 000009
【図８】
2009199342.tif 000010
【図９】
2009199342.tif 000011